(57)【特許請求の範囲】
【請求項１】
原稿搬送路の途中に原稿読取部を配設し、原稿搬送路には、原稿読取部に原稿を供給する供給搬送路と、原稿読取部にて読み取られた原稿を原稿排出部に排出する排出搬送路と、供給搬送路及び排出搬送路間に連通する反転搬送路とを設け、更に、前記排出搬送路には、片面読取り済みの原稿をそのまま前記原稿排出部に排出する通常排出搬送路と、この通常排出搬送路よりも上に位置するように当該通常排出搬送路から分岐し且つ両面読取り済みの原稿を前記原稿排出部に排出する反転排出搬送路とを設けた両面原稿搬送装置であって、
原稿セット部に位置する原稿を供給搬送路を通じて原稿読取部に供給する原稿供給手段と、
原稿読取部による読取り後の原稿を排出搬送路を通じて原稿排出部に排出する原稿排出手段と、
両面原稿読取モード時に、片面読取り済みの原稿を通常排出搬送路にてスイッチバックさせた後に、反転搬送路を通じて再び原稿読取部に反転供給する原稿再供給手段とを備え、
原稿排出手段には、両面原稿読取モード時に原稿が反転排出搬送路を通じて反転排出せしめられる反転排出手段を具備させ、かつ、この反転排出手段には、前記原稿再供給手段により片面読取り済みの次原稿が通常排出搬送路にてスイッチバック動作中に通常排出搬送路の原稿排出口から突出配置されている間前記反転排出搬送路にて排出動作中の両面読取り済みの原稿が一時待機せしめられる排出待機手段を設けたことを特徴とする両面原稿搬送装置。
【請求項２】
請求項１記載の両面原稿搬送装置において、
排出待機手段は、駆動力の断続手段を付設した搬送部材であることを特徴とする両面原稿搬送装置。
【発明の詳細な説明】
【０００１】
【発明の属する技術分野】
本発明は、複写機やファクシミリ等の画像形成装置に組み付けられて原稿を自動搬送する原稿搬送装置に係り、特に、両面原稿の生産効率を向上させる上で好適な両面原稿搬送装置の改良に関する。
【０００２】
【従来の技術】
従来における両面原稿搬送装置としては、両面読取モードを選択した場合、通常、原稿セット部に位置する原稿を原稿読取部に供給し、原稿読取部にて片面（第１面）読取り済みの原稿を反転させた後に再度原稿読取部に供給し、他の片面（第２面）の読取りを行い、その後、両面読取り済みの原稿を排出トレイの原稿排出部に排出するようにしたものがある。
この場合において、両面読取り済みの原稿（第２面読取り後の原稿）については、原稿のページ順序を揃えるために再度反転して排出トレイ上に排出する方式が一般的である（例えば特開平８−１２３１０３号公報）。
ここで、両面読取り済みの原稿を反転させる方式としては、原稿読取部の下流側に位置する排出搬送路に反転排出用の原稿パスを設ける態様や、両面読取り済みの原稿を再度反転させた後に原稿読取部へ送り、原稿読取部にて原稿の読取り動作を行わないで、そのまま排出させる態様が既に提供されている。
【０００３】
【発明が解決しようとする課題】
ところで、前者のタイプにあっては、反転排出用の原稿パス（反転排出搬送路）は、通常排出搬送路から上方側に略Ｃ字状に分岐形成されていたので、必然的に、反転排出搬送路の原稿排出口が通常排出搬送路の原稿排出口よりも上方に位置する構造になっていた。
このとき、両面読取り済みの原稿は、反転排出搬送路から排出トレイへと排出されるが、反転排出搬送路から排出された両面読取り済みの原稿が排出トレイに落下する前に、原稿読取部にて次原稿の読取りを開始させてしまうと、次原稿が両面読取りのために通常排出搬送路を移動しながらスイッチバックされる動作過程で、通常排出搬送路から次原稿が排出トレイ側へ一旦突出配置される状態になってしまうため、反転排出搬送路から排出された両面読取り済みの原稿と次原稿とが排出トレイの上方空間で干渉してしまう懸念がある。
このため、反転排出搬送路から排出された前原稿の排出動作が完全に完了（前原稿が排出トレイ上に完全に落下し終わることに相当）するまで、原稿読取部による原稿の読取り動作を待機させることが必要である。
【０００４】
また、後者のタイプには、原稿読取部に対して両面読取り済みの原稿を再度反転通過させることから、両面読取り済み原稿が原稿読取部を通過するまで、原稿読取部の上流側で次原稿を更に待機させることが必要である。
このように、いずれのタイプにあっても、前記待機時間は原稿の両面読取りの生産上非常に無駄な時間となり、両面原稿の読取り効率を著しく低下させるという技術的課題につながる。
【０００５】
本発明は、以上の技術的課題を解決するためになされたものであって、排出搬送路から排出される原稿の挙動を工夫することで、排出搬送路から排出される両面読取り済みの原稿と次原稿との干渉を有効に防止し、両面原稿の生産性を向上させるようにした両面原稿搬送装置を提供するものである。
【０００６】
【課題を解決するための手段】
本発明は、図１に示すように、原稿搬送路１の途中に原稿読取部５を配設し、原稿搬送路１には、原稿読取部５に原稿６を供給する供給搬送路２と、原稿読取部５にて読み取られた原稿６を原稿排出部１０に排出する排出搬送路３と、供給搬送路２及び排出搬送路３間に連通する反転搬送路４とを設け、更に、前記排出搬送路３には、片面読取り済みの原稿６をそのまま前記原稿排出部１０に排出する通常排出搬送路３ａと、この通常排出搬送路３ａよりも上に位置するように当該通常排出搬送路３ａから分岐し且つ両面読取り済みの原稿６を前記原稿排出部１０に排出する反転排出搬送路３ｂとを設けた両面原稿搬送装置であって、原稿セット部７に位置する原稿６を供給搬送路２を通じて原稿読取部５に供給する原稿供給手段８と、原稿読取部５による読取り後の原稿６を排出搬送路３を通じて原稿排出部１０に排出する原稿排出手段９と、両面原稿読取モード時に、片面読取り済みの原稿６を通常排出搬送路３ａにてスイッチバックさせた後に、反転搬送路４を通じて再び原稿読取部５に反転供給する原稿再供給手段１１とを備え、原稿排出手段９には、両面原稿読取モード時に原稿６が反転排出搬送路３ｂを通じて反転排出せしめられる反転排出手段９ａを具備させ、かつ、この反転排出手段９ａには、前記原稿再供給手段１１により片面読取り済みの次原稿が通常排出搬送路３ａにてスイッチバック動作中に通常排出搬送路３ａの原稿排出口から突出配置されている間前記反転排出搬送路３ｂにて排出動作中の両面読取り済みの原稿６が一時待機せしめられる排出待機手段１２を設けたことを特徴とする。
【０００７】
このような技術的手段において、原稿搬送路１は、供給搬送路２、排出搬送路３及び反転搬送路４を備えた態様を前提とする。
ここで、反転搬送路４は供給搬送路２と排出搬送路３とを連通接続し、かつ、原稿再供給手段１１で原稿面が反転せしめられた原稿６を再供給する際に通過する搬送路である。
また、排出搬送路３としては、通常排出搬送路３ａとこの通常排出搬送路３ａから分岐する反転排出搬送路３ｂとを具備するものであれば本件発明を適用することは可能であるが、特に、反転排出搬送路３ｂの原稿排出口が通常排出搬送路３ａの原稿排出口よりも上方に位置する態様については、両面読取り済みの排出原稿と次原稿とが干渉し易い状況が起こり得る可能性が高いため、本件発明は効果的である。
【０００８】
更に、原稿供給手段８は、原稿セット部７からの原稿６を原稿読取部５へ供給する機能部材全てを含むものである。
また、原稿再供給手段１１は、両面原稿読取モード時に、反転搬送路４を通じて原稿６を反転供給する機能部材全てを含むものであり、例えば原稿供給手段８を構成する機能部材（例えばレジストレーションロールなど）を兼用する態様をも含む。
ここで、原稿再供給手段１１としては、排出搬送路３にて片面読取り済みの原稿６がスイッチバックせしめられるスイッチバック手段を具備したものが挙げられる。
【０００９】
更にまた、原稿排出手段９は、読取り後の原稿６を排出する機能部材全てを含むものである。
そして、本件発明にあっては、原稿排出手段９には、両面原稿読取モード時に原稿６が反転排出搬送路３ｂを通じて反転排出せしめられる反転排出手段９ａを具備することが必要である。
特に、反転排出手段９ａには、排出動作中の原稿６が一時待機せしめられる排出待機手段１２を設けることが重要である。
ここで、排出待機手段１２としては、原稿６を一時待機せしめる機能を具備していれば適宜選定して差し支えないが、代表的な態様としては、駆動力の断続手段（クラッチなど）を付設した搬送部材が挙げられる。
【００１０】
このような両面原稿搬送装置において、両面原稿読取モード時には、両面原稿搬送装置は以下のように動作する。
すなわち、両面原稿読取モード時には、原稿６は、供給搬送路２から原稿読取部５を通過し、片面読取りが行われた後、通常排出搬送路３ａにてスイッチバックされ、反転搬送路４を通じて反転搬送された後再度原稿読取部５を通過し、他の片面読取りが行われ、しかる後、通常排出搬送路３ａから反転排出搬送路３ｂを経て原稿排出部１０へと排出される。
このとき、反転排出手段９ａの排出待機手段１２は排出動作中の原稿６を一時待機させるため、原稿読取部５にて次原稿の読み込みを先に行い、この次原稿を通常排出搬送路３ａにてスイッチバックしたとしても、スイッチバック動作中に通常排出搬送路３ａの原稿排出口から突出配置される次原稿が前原稿と干渉し合うことはない。
また、排出待機手段１２にて一時待機されていた原稿６については、次原稿が反転搬送路４を通じて反転搬送されて再度原稿読取部５を通過するまでの間に排出するようにすればよく、排出待機手段１２にて原稿６を一時待機したとしても、両面原稿６の読取り生産性が低下する懸念はない。
【００１１】
【発明の実施の形態】
以下、添付図面に示す実施の形態に基づいて本発明を詳細に説明する。
図２は本発明が適用された両面原稿搬送装置の実施の一形態を示す。
同図において、両面原稿搬送装置は、図示外の原稿がセットされる原稿セットトレイ２０を具備し、この原稿セットトレイ２０から原稿が搬送される原稿搬送路２１を備え、この原稿搬送路２１の途中に原稿読取部（プラテン）１５を固定配設したものである。
本実施の形態において、原稿搬送路２１は、原稿セットトレイ２０から略Ｃ字状に延びて原稿読取部１５に至る供給搬送路２２と、原稿読取部１５にて読み取られた原稿を排出する排出搬送路２３と、供給搬送路２２と排出搬送路２３との間に跨って連通接続される反転搬送路２４とを備えたものである。
【００１２】
本実施の形態において、排出搬送路２３は、略水平方向に向かって延びる通常排出搬送路２３ａと、この通常排出搬送路２３ａの途中で上方側に向かって略Ｃ状に分岐し且つ通常排出搬送路２３ａの原稿排出口よりも上方に原稿排出口が開口した反転排出搬送路２３ｂとを備えている。
ここで、通常排出搬送路２３ａの出口付近は、原稿がスイッチバックせしめられるスイッチバック搬送路２３１として機能するようになっている。
尚、原稿読取部１５に対応した部位には、例えばセルフォックレンズ系を介してＣＣＤアレイに結像させる原稿読取デバイスなどが配設されている。
【００１３】
また、原稿セットトレイ２０の出口付近にはナジャーロール３１が配設されており、これは図示外のソレノイドにて上下動自在に支承され且つ下降動作時に図示外の最上位原稿を捌きながら繰り出すようになっている。そして、このナジャーロール３１にはナジャーロール３１の上下動に連動して開閉するストッパゲート３２が設けられている。
更に、ナジャーロール３１の下流直後に位置する供給搬送路２２にはフィードロール３３が配設されると共に、このフィードロール３３に対向する部位にはリタードパッド３４が配設されており、これらは原稿を一枚ずつ分離するようになっている。
更にまた、フィードロール３３の下流側に位置する供給搬送路２２にはロール対構成のテイクアウェイロール３５が配設されており、このテイクアウェイロール３５の下流側には位置決め用のロール対構成のレジストレーションロール（以下、本実施の形態ではレジロールと称する）３６が配設されている。
尚、符号２６は原稿が停止状態のレジロール３６に突き当たった際にループ変形するが、このループ変形を規制するためのガイドである。
【００１４】
また、原稿搬送路２１の原稿読取部１５に対応した部分にはプラテンロール３７が配設されており、このプラテンロール３７は原稿読取部１５に対して原稿を押圧搬送し、原稿の浮き上がりによる読取り不良を防止するようになっている。
そして、プラテンロール３７の下流側の通常排出搬送路２３ａにはロール対構成のアウトロール３８が配設されている。
更に、スイッチバック搬送路２３１には正逆回転するロール対構成の第１出口ロール（スイッチバックロール）３９が配設されており、反転排出搬送路２３ｂにはロール対構成からなる第２出口ロール４０が配設されている。
更にまた、通常排出搬送路２３ａ及び反転排出搬送路２３ｂの各原稿排出口に対応した箇所には排出トレイ４１が設けられており、排出された原稿が表面（第１面）を下方とするフェースダウン状態にて排出されるようになっている。
また、本実施の形態では、反転搬送路２４の途中に原稿を搬送するロール対構成の搬送ロール４２（本例では、アウトロール３８の駆動ロールを兼用）が配設されている。
【００１５】
更に、原稿搬送路２１（供給搬送路２２，排出搬送路２３，反転搬送路２４）には原稿位置を確認するための位置センサ６１〜６７が配設されている。
本実施の形態において、位置センサ６１は原稿セットトレイ２０に原稿が収容されているか否かを検知するものであり、位置センサ６２は原稿の先端がフィードロール３３を通過したことを検知するフィードセンサであり、位置センサ６３は原稿の先端がレジロール３６近傍に到達していることを検知するレジセンサであり、位置センサ６４は原稿の先端がアウトロール３８近傍に到達していることを検知するアウトセンサであり、位置センサ６５，６６は原稿が第１出口ロール３９あるいは第２出口ロール４０近傍に到達していることを検知するものであり、位置センサ６７は原稿の先端が反転搬送路２４の途中に到達したことを検知するデュープセンサである。
尚、符号６８は原稿セットトレイ２０上にある原稿のサイズを検知する原稿サイズセンサである。
【００１６】
更に、本実施の形態で用いられる両面原稿搬送装置の駆動系を図３〜図５に示す。
図３はフィードモータ７１による駆動系であり、フィードモータ７１は駆動伝達ベルト７２及び駆動ギア列７３を介して、フィードロール３３、ナジャーロール３１及びテイクアウェイロール３５に駆動力を伝達するようになっている。
より具体的には、前記駆動ギア列７３にはフィードクラッチ７４を介してフィードロール３３が断続可能に駆動連結され、このフィードロール３３に連動してナジャーロール３１が分岐ギア列７５を介して回転駆動するようになっており、また、前記駆動ギア列７３にはテイクアウェイロール３５も駆動連結されている。
【００１７】
また、図４はＣＶＴ（Constant Velocity Transportの略）モータ８１による駆動系であり、ＣＶＴモータ８１は駆動ベルト８２を介してレジロール３６、アウトロール３８及びプラテンロール３７に駆動力を伝達するようになっている。
ここで、レジロール３６はレジロールクラッチ８３を介して駆動ベルト８２に断続可能に駆動連結されており、また、アウトロール３８及びプラテンロール３７は駆動ベルト８２に連動して駆動されるようになっている。
【００１８】
更に、図５は出口モータ（Exit Motor）９１による駆動系であり、駆動ベルト９２及び駆動ギア列９３を介して第１、第２出口ロール３９，４０に駆動力を伝達するようになっている。
ここで、第１出口ロール３９は、図示外の出口ソレノイドにて揺動する揺動アーム３９ｃによって一方の従動ロール３９ｂを移動させ、駆動ロール３９ａと従動ロール３９ｂとの間でニップリリースされるようになっている。
一方、第２出口ロール４０は、第１出口ロール３９の駆動力を駆動ベルト９４を介して駆動伝達可能に、かつ、出口クラッチ（Exit Clutch）９５を介して断続可能に接続されている。
【００１９】
また、本実施の形態に係る両面原稿搬送装置は図示外の制御装置にて例えば図６〜図９に示すフローチャートに従って制御されるようになっている。
以下図６〜図９のフローチャートに従って両面原稿搬送装置の制御内容について説明する。
また、図１０〜図１６は両面原稿搬送装置による原稿の搬送動作を模式的に示す説明図である。
今、原稿セットトレイ２０に所定枚数の両面原稿をセットした後、両面原稿読取モードを選択し、スタートボタンを押すと、図６に示すように、フィードモータ７１及びＣＶＴモータ８１が回転動作を開始し、ナジャーソレノイドをオフすることで、ナジャーロール３１を下方へ移動させ、原稿セットトレイ２０の最上位原稿１００上にナジャーロール３１を載置する（図１０(a)〜(c)参照）。
【００２０】
この後、制御装置は、図６に示すように、フィードクラッチ７４（図３参照）をオン動作させ、原稿フィード動作を開始する。
すると、原稿セットトレイ２０上の１枚目の原稿１００(1)がナジャーロール３１にて繰り出され、フィードロール３３及びリタードパッド３４により一枚に分離され、テイクアウェイロール３５を経て停止しているレジロール３６位置に到達する。
そして、制御装置は、原稿１００(1)の先端がレジセンサ６３を通過するか否かを監視し、原稿１００(1)の先端がレジセンサ６３を通過した時点で、次の読み込みが第１面（Side 1）か第２面（Side 2）かを判断する。
このとき、原稿１００(1)がレジロール３６に突き当たると、原稿１００(1)がループ変形するが、レジセンサ６３がオンした条件下で原稿１００(1)にループが形成された後にフィードモータ７１が停止せしめられるため、原稿１００（１）はループ変形した状態でレジロール３６位置に一旦停止し（図１１(a)参照）、原稿１００(1)の先端位置合せ及び斜め送りが補正される。
【００２１】
この後、制御装置は、図６に示すように、原稿読取部１５に原稿読取りデバイスが移動設定されて原稿１００の読み込み動作が可能か否かをチェックし、可能であると判断した場合には、レジロールクラッチ８３（図４参照）をオン動作させ、レジロール３６の回転動作を開始させ、原稿読取部１５にて原稿１００(1)の第１面を読み込む（図１１(b)参照）。
そして、図７に示すように、レジセンサ６３がオフになるか否かを監視し、レジセンサ６３がオフになった条件下でレジロールクラッチ８３をオフとし、レジロール３６の回転動作を停止する。
【００２２】
一方、原稿読取部１５を通過した原稿１００(1)はアウトセンサ６４を通過することになるが、制御装置は、図７に示すように、アウトセンサ６４がオフになるか否かを監視し、アウトセンサ６４がオフになった条件下で、所定タイマー後にＣＶＴモータ８１の回転を停止させる。
そして、制御装置は、図７に示すように、出口モータ９１の逆転動作を開始し、第１出口ロール３９の逆転動作を開始する。
このとき、図示外のゲートにて反転搬送路２４のみを開放するようになっており、第１面読取り済みの原稿１００(1)は、スイッチバック搬送路２３１にてスイッチバックされ、反転搬送路２４側へと搬送される（図１１(c)，図１２(a)参照）。
【００２３】
この後、制御装置は、図７に示すように、前原稿が反転排出搬送路（Exit Path）２３ｂ内にあるか否かをチェックし（例えば位置センサ６６のセンサ出力により判別）、この場合には未だ前原稿が存在しないため、ＣＶＴモータ８１の回転動作を開始する。
そして、制御装置は、図７に示すように、反転搬送路２４に搬送された原稿１００(1)がデュープセンサ６７を通過するか否かを監視し、デュープセンサ６７を通過した時点で、図示外の出口ソレノイドをオンさせ、第１出口ロール３９のニップ状態をリリースする（解除する）と共に、フィードモータ７１の回転動作を開始する。
【００２４】
すると、制御装置は、図６〜図８に示すように、原稿１００(1)の先端がレジセンサ６３を通過するか否かを監視し、原稿１００(1)の先端がレジセンサ６３を通過した時点で、次の読み込みが第１面（Side 1）か第２面（Side 2）かを判断する。
このとき、第１面読取り済みの原稿１００(1)は、図１２（ａ）〜（ｃ）に示すように、反転搬送路２４を経て再びレジロール３６へと突き当たる。
そして、原稿１００(1)がレジロール３６に突き当たると、原稿１００(1)がループ変形するが、制御装置は、レジセンサ６３がオンした条件下で原稿１００(1)にループが形成された後にフィードモータ７１を停止するため、原稿１００(1)はループ変形した状態でレジロール３６位置に一旦停止し（図１２(ｃ)参照）、原稿１００(1)の先端位置合せ及び斜め送り（スキュー）が補正される。
【００２５】
一方、制御装置は、原稿１００(1)のループが形成された後に、ＣＶＴモータ８１を停止すると共に、出口モータ９１を停止する。
この後、制御装置は、図７に示すように、原稿読取部１５にて原稿１００(1)の読み込み動作が可能であるか否かをチェックし、可能であると判断した場合には、ＣＶＴモータ８１及び出口モータ９１の回転動作を開始した後、レジロールクラッチ８３（図４参照）をオン動作させ、レジロール３６の回転動作を開始させ、原稿読取部１５にて原稿１００(1)の第２面を読み込む（図１３(ａ)〜（ｃ）参照）。
【００２６】
そして、制御装置は、図６及び図８に示すように、レジセンサ６３がオフになるか否かを監視し、レジセンサ６３がオフになった条件（原稿１００(1)の後端がレジセンサ６３を通過した条件）下で次原稿１００(2)の有無をチェックし、次原稿１００(2)のフィード動作を開始する（図１３（ｃ）参照）。
一方、制御装置は、次原稿１００(2)があることを条件に、レジロールクラッチ８３をオフすることでレジロール３６の回転を一旦停止させる（図１４（ａ）参照）。
この後、制御装置は、図８及び図９に示すように、アウトセンサ６４がオフになった条件下で所定タイマー経過後ＣＶＴモータ８１を停止し、出口モータ９１の逆転動作を開始することで第１出口ロール３９の逆転動作を開始する。
【００２７】
このとき、制御装置は、読み込みの終了したのが第２面であることを判断し、図示外のゲートにて反転排出搬送路２３ｂ側を開放するように搬送路の切換えを行い、両面読取り済みの原稿１００(1)を反転排出搬送路２３ｂ側へ向かって搬送する（図１４（ｂ）（ｃ）参照）。
この後、制御装置は、第２出口センサ６６がオンになるか否かを監視し（原稿が到達したか否かを監視し）、第２出口センサ６６がオンになったことを条件として、所定タイマー後に出口クラッチ９５をオンさせ、第２出口ロール４０の回転動作を停止する。
このとき、両面読取り済みの原稿１００(1)は、図１４（ｃ）に示すように、第２出口ロール４０にニップされたまま一時待機状態となり、反転排出搬送路２３ｂの原稿排出口から排出される途中位置で停止する。
【００２８】
この後、制御装置は、図９に示すように、出口モータ９１の回転方向を切換え、ＣＶＴモータ８１の回転動作を開始する。
そして、次原稿１００(2)の有無をチェックし、次原稿１００(2)があれば次原稿１００(2)のフィード動作を開始し、一方、次原稿１００(2)がなければＣＶＴモータ８１を停止し、一連の処理を終了する。
【００２９】
ところで、制御装置は、図６及び図７に示すように、両面読取り済みの前原稿１００(1)の後端がレジセンサ６３を通過した条件下で、次原稿１００(2)のフィード動作を開始しているため、次原稿１００(2)は、図１４〜図１５（ａ）（ｂ）に示すように、レジロール３６にて先端位置合わせ及び斜め送りが補正された後に、原稿読取部１５にて第１面の読み込み動作が行われ、通常排出搬送路２３ａに沿って搬送されていき、スイッチバック搬送路２３１へ到達する。
そして、制御装置は、レジセンサ６３がオフになった条件下でレジロールクラッチ８３をオフとし、レジロール３６の回転動作を停止させ、更に、アウトセンサ６４がオフになった条件下で所定タイマー後にＣＶＴモータ８１を停止し、出口モータ９１の逆転動作を開始する。
【００３０】
このとき、制御装置は、図示外のゲートにて反転搬送路２４のみを開放するようになっており、第１面読取り済みの原稿１００(2)は、スイッチバック搬送路２３１にてスイッチバック（インバート）され、反転搬送路２４側へと搬送される（図１５(ｂ)（ｃ）参照）。
この後、制御装置は、図７に示すように、前原稿が反転排出搬送路（Exit Path）２３ｂ内にあるか否かをチェックし、この場合には前原稿１００(1)が一時待機状態で存在しているため、所定時間後に出口クラッチ９５をオフすることで、第２出口ロール４０を回転させ、前原稿１００(1)の排出動作を再開し、その後、ＣＶＴモータ８１の回転動作を開始する。
この状態において、次原稿１００(2)は、第２面読み込みのために反転搬送路２４を通じて再度原稿読取部１５へと搬送されていく。
【００３１】
このような動作過程においては、排出される前原稿１００(1)と次原稿１００(2)とが相互に干渉しないように、前原稿１００(1)の排出動作が行われればよい。
具体的には、一時待機状態の前原稿１００(1)の排出タイミングは、図１６（ａ）に示すように、排出動作中の前原稿１００(1)の後端がスイッチバック動作中の次原稿１００(1)の後端と接触しないようにすることが必要である。
また、前原稿１００(2)の排出動作は、図１６（ｂ）に示すように、第２面の読み込み動作が行われた次原稿１００(2)の先端が通常排出搬送路２３ａの原稿排出口から突出配置される前に終了することが必要である。
この場合において、両面読取り済みの前原稿１００(1)は一時待機されるが、次原稿１００(2)がスイッチバックされてから第２面の読み込み動作が終わるまでの間に前原稿１００(1)の排出動作が完了することから、一時待機時間が両面原稿の読み込み生産性に影響を与えることはない。
【００３２】
ここで、本実施の形態に係る両面原稿搬送装置の性能を評価する上で比較の形態を例示する。
今、比較の形態に係る両面原稿搬送装置として、反転排出搬送路２３ｂ中で原稿の排出動作を一時待機させない態様（出口クラッチ９５を付けない第２出口ロール４０’を使用）のものを挙げる。
この比較の形態においては、図１７（ａ）に示すように、次原稿１００(2)は、通常排出搬送路２３ａの原稿排出口から突出配置されるため、次原稿１００(2)が反転排出搬送路２３ｂの原稿排出口から排出されてきた前原稿１００(1)を押したり、あるいは、図１７（ｂ）に示すように、次原稿１００(2)が前原稿１００(1)と重合配置されてしまい、次原稿１００(2)をスイッチバック（インバート）する際に前原稿１００(1)が引きずり込まれる、というような懸念がある。
従って、比較の形態にあっては、上述したような懸念を回避するために、次原稿の読み込みタイミングを一時待機させることが必要不可欠になり、その分、両面原稿の読み込み生産性が低下するが、本実施の形態では、このような一時待機処理が不要になる分、両面原稿の読み込み生産性が向上するのである。
【００３３】
【発明の効果】
以上説明してきたように、本発明によれば、原稿排出部に原稿が排出される排出搬送路を有し、この排出搬送路には、片面読取り済みの原稿をそのまま排出する通常排出搬送路と、この通常排出搬送路よりも上に位置するように当該通常排出搬送路から分岐し且つ両面読取り済みの原稿を排出する反転排出搬送路とを設けた両面原稿搬送装置であって、反転排出手段にて反転排出搬送路から両面原稿を排出する際に、一時待機手段にて両面読取り済みの排出原稿を一時待機させ、片面読取り済みの次原稿の読み込みを優先するようにしたので、排出原稿の排出動作が完了するのを待つことなく、両面原稿の読み込み動作を継続して行うことが可能になり、その分、両面原稿の読み込み生産性を向上させることができる。
特に、一時待機手段にて排出原稿を一時待機したとしても、例えば次原稿の第１面の読み込み終了後に、スイッチバックを開始してから原稿の第２面の読み込みを行うまでの間に原稿の排出動作を再開するようにすれば、両面原稿の読み込み生産性を低下させる要因にはならないため、一時待機手段の存在が両面原稿の読み込み生産性に悪影響を与えるという懸念は全くない。
【図面の簡単な説明】
【図１】  本発明に係る両面原稿搬送装置の概要を示す説明図である。
【図２】  本発明が適用された両面原稿搬送装置の実施の一形態を示す説明図である。
【図３】  本実施の形態に係る両面原稿搬送装置の駆動系（１）を示す説明図である。
【図４】  本実施の形態に係る両面原稿搬送装置の駆動系（２）を示す説明図である。
【図５】  本実施の形態に係る両面原稿搬送装置の駆動系（３）を示す説明図である。
【図６】  本実施の形態に係る両面原稿搬送装置の制御処理内容を示すフローチャート（１）である。
【図７】  本実施の形態に係る両面原稿搬送装置の制御処理内容を示すフローチャート（２）である。
【図８】  本実施の形態に係る両面原稿搬送装置の制御処理内容を示すフローチャート（３）である。
【図９】  本実施の形態に係る両面原稿搬送装置の制御処理内容を示すフローチャート（４）である。
【図１０】  （ａ）〜（ｃ）は本実施の形態に係る両面原稿搬送装置の原稿の搬送過程を示す模式図（１）である。
【図１１】  （ａ）〜（ｃ）は本実施の形態に係る両面原稿搬送装置の原稿の搬送過程を示す模式図（２）である。
【図１２】  （ａ）〜（ｃ）は本実施の形態に係る両面原稿搬送装置の原稿の搬送過程を示す模式図（３）である。
【図１３】  （ａ）〜（ｃ）は本実施の形態に係る両面原稿搬送装置の原稿の搬送過程を示す模式図（４）である。
【図１４】  （ａ）〜（ｃ）は本実施の形態に係る両面原稿搬送装置の原稿の搬送過程を示す模式図（５）である。
【図１５】  （ａ）〜（ｃ）は本実施の形態に係る両面原稿搬送装置の原稿の搬送過程を示す模式図（６）である。
【図１６】  （ａ）〜（ｂ）は本実施の形態に係る両面原稿搬送装置の原稿の搬送過程を示す模式図（７）である。
【図１７】  （ａ）〜（ｂ）は比較の形態に係る両面原稿搬送装置の原稿の搬送過程を示す模式図である。
【符号の説明】
１…原稿搬送路，２…供給搬送路，３…排出搬送路，３ａ…通常排出搬送路，３ｂ…反転排出搬送路，４…反転搬送路，５…原稿読取部，６…原稿，７…原稿セット部，８…原稿供給手段，９…原稿排出手段，９ａ…反転排出手段，１０…原稿排出部，１１…原稿再供給手段，１２…排出待機手段
【図１】
0004006563.tif 000002
【図２】
0004006563.tif 000003
【図３】
0004006563.tif 000004
【図４】
0004006563.tif 000005
【図５】
0004006563.tif 000006
【図６】
0004006563.tif 000007
【図７】
0004006563.tif 000008
【図８】
0004006563.tif 000009
【図９】
0004006563.tif 000010
【図１０】
0004006563.tif 000011
【図１１】
0004006563.tif 000012
【図１２】
0004006563.tif 000013
【図１３】
0004006563.tif 000014
【図１４】
0004006563.tif 000015
【図１５】
0004006563.tif 000016
【図１６】
0004006563.tif 000017
【図１７】
0004006563.tif 000018